(57)【要約】【課題】  シャッターを外壁に取り付けるための締結力が外壁に加えられないようにすることができるスペーサーおよびシャッターケースを提供する。【解決手段】  本発明のスペーサーは、建物の躯体９１と躯体９１の外側に設けられた外壁９２とを有する建物の外壁表面９３にシャッターケースの壁ブラケット１１を固定するときに用いられ、外壁９２および壁ブラケット１１の締結部１１１よりも外部側に位置する頭部２１と躯体９１に螺入する軸部２２とを備える締結部材２と共に外壁９２に穿った貫通孔９２１に挿入され、躯体９１に一端が接し壁ブラケット１１に他端が接するように用いる壁ブラケット１１用のスペーサー３であって、一方が他方に螺合されて全長が可変であり、締結部材２が中心に貫通できる孔３３が形成された第１部材３１および第２部材３２を有する。【選択図】図２
2015117467.tif 000002
【特許請求の範囲】
【請求項１】
建物の躯体と前記躯体の外側に設けられた外壁とを有する建物の前記外壁表面にシャッターケースの壁ブラケットを固定するときに用いられ、
前記外壁および壁ブラケットの締結部よりも外部側に位置する頭部と前記躯体に螺入する軸部とを備える締結部材と共に前記外壁に穿った貫通孔に挿入され、
前記躯体に一端が接し前記壁ブラケットに他端が接するように用いる壁ブラケット用のスペーサーであって、
一方が他方に螺合されて全長が可変であり、前記締結部材の前記軸部が中心に貫通できる孔が形成された第１および第２部材を有するスペーサー。
【請求項２】
前記第１および第２部材のうち、前記躯体に接する前記一端が摩擦力の高い回り止め部を備える請求項１に記載のスペーサー。
【請求項３】
前記第１および第２部材のうち、前記他端に、スクリュードライバーが係合可能な係合溝を備える請求項１または２に記載のスペーサー。
【請求項４】
全長方向で両端部間の長さが収縮するのを抑制する収縮抑制部を備える請求項１〜３の何れか１項に記載のスペーサー。
【請求項５】
前記第１および第２部材の間の螺合部には相対回転を制限する制限手段をもつ請求項１〜４の何れか１項に記載のスペーサー。
【請求項６】
前記第１および第２部材の間の螺合部は前記締結部材の前記軸部が螺入するときの回転方向とは逆方向に回転するときに全長が短くなる請求項１〜５の何れか１項に記載のスペーサー。
【請求項７】
前記壁ブラケットと、前記締結部材と、請求項１〜６のうちの何れか１項に記載のスペーサーとを有するシャッターケース。
【発明の詳細な説明】
【技術分野】
【０００１】
本発明は、躯体と躯体の外側の外壁とを有する建物の外壁表面にシャッターケースを取り付ける際に用いられるスペーサーおよび当該スペーサーを用いて建物の外壁表面に取り付けられるシャッターケースに関する。
【背景技術】
【０００２】
シャッターを建物の窓の外側に取り付ける際、建物の外壁にシャッターケースがネジにより取り付けられる。通常、ネジは建物の躯体に締結し、外壁にはネジの締結力が加わらないように取り付けるのが望ましい。外壁は躯体ほど頑丈ではないため、ネジによって力が加えられると変形し、外壁材の種類によっては割れたり、ヒビなどが発生したりして破損する恐れがある。外壁と躯体との間に空間がある場合は特に、外壁を躯体側に押圧しないように締結を完了させるのが難しい。
【０００３】
ところで、特許文献１には、シャッターの荷重を分散させて、建物の窓枠１の周りの外壁Ｗにシャッターを安定して支持する構造が開示されている。特許文献１のシャッターのサイドブラケット１１は、３本のコーチネジ３４により外壁Ｗに固定される掛止金具１４に後端部が掛け止めされ、縦枠に取り付けられた支持金具１５に対し折り曲げ部１１ａがネジ止めされる。
【０００４】
特許文献２には、金属カラー９を介して２つの樹脂部材２，４をボルト６により車体パネル７に固定する構造が開示されている。特許文献２の樹脂部材２，４にはそれぞれ貫通孔８が形成され、当該貫通孔８に金属カラー９が装着されている。そして、ボルト６は金属カラー９を挿通し、車体パネル７に固着されたナット１０に螺合するため、樹脂部材２，４にボルト６による締結力が加わらず、樹脂部材２，４の変形や亀裂等の発生が防止できる。
【０００５】
例えば、特許文献１に開示のシャッターを支持する構造と特許文献２に開示の金属カラー９とを組み合わせることで、外壁と躯体との間に空間を有する建物に、シャッターを取り付けることができる。しかし、外壁の厚さ、外壁と躯体と間の空間の長さは、建物が違えば異なるし、同一の建物であっても微妙に違い、一定とは限らない。そのため、金属カラー９の長さが短い場合、外壁にネジの締結力が加わる恐れがある。金属カラー９を１つではなく様々な長さで用意した場合、現場での作業が繁雑になり、使用されない可能性の金属カラー９も大量に持ち運ぶことになる。
【先行技術文献】
【特許文献】
【０００６】
【特許文献１】特許第３２３８８４８号明細書
【特許文献２】特許第４４０７８７７号明細書
【発明の概要】
【発明が解決しようとする課題】
【０００７】
本発明は、上記状況に鑑みてなされたもので、外壁表面から躯体までの長さに影響されず、シャッターを外壁に取り付けるための締結力が外壁に加えられないようにすることができるスペーサーおよびシャッターケースを提供することを解決すべき課題とする。
【課題を解決するための手段】
【０００８】
（１）上記課題を解決するためのスペーサーの構成上の特徴は、建物の躯体と前記躯体の外側に設けられた外壁とを有する建物の前記外壁表面にシャッターケースの壁ブラケットを固定するときに用いられ、
前記外壁および壁ブラケットの締結部よりも外部側に位置する頭部と前記躯体に螺入する軸部とを備える締結部材と共に前記外壁に穿った貫通孔に挿入され、
前記躯体に一端が接し前記壁ブラケットに他端が接するように用いる壁ブラケット用のスペーサーであって、
一方が他方に螺合されて全長が可変であり、前記締結部材の前記軸部が中心に貫通できる孔が形成された第１および第２部材を有することである。
【０００９】
上記（１）の発明は以下に記す（２）〜（６）の構成のうちの１つ以上を任意に加えて採用できる。
【００１０】
（２）前記第１および第２部材のうち、前記躯体に接する前記一端が摩擦力の高い回り止め部を備える。
【００１１】
（３）前記第１および第２部材のうち、前記他端に、スクリュードライバーが係合可能な係合溝を備える。
【００１２】
（４）全長方向で両端部間の長さが収縮するのを抑制する収縮抑制部を備える。
【００１３】
（５）前記第１および第２部材の間の螺合部には相対回転を制限する制限手段をもつ。
【００１４】
（６）前記第１および第２部材の間の螺合部は前記締結部材の前記軸部が螺入するときの回転方向とは逆方向に回転するときに全長が短くなる。
【００１５】
（７）上記課題を解決するためのシャッターケースの構成上の特徴は、前記壁ブラケットと、前記締結部材と、（１）〜（６）のうちの何れかに記載のスペーサーとを有することである。
【発明の効果】
【００１６】
（１）の発明のスペーサーは、螺合する第１部材と第２部材とを有し、外壁に穿った貫通孔に挿入され、壁ブラケットを外壁に固定する締結部材の軸部が中心を貫通する孔が形成されている。第１部材と第２部材とは螺合しているため、全長を可変できる。よって、（１）の発明によれば、外壁の厚さや外壁から躯体までの空間の長さに合わせて全長を可変できるため、シャッターケースを固定するための締結部材による締結力が外壁に加わるのを防止できる。つまり、外壁表面から躯体までの長さに影響されず、シャッターを外壁に取り付けることができる。
【００１７】
（２）の発明においては、外壁に穿った貫通孔に挿入後に全長を可変する際、躯体に接する部分が摩擦力の高い回り止め部を有しているため、第１または第２部材が連れ回るのを抑制でき、全長を可変しやすい。
【００１８】
（３）の発明においては、スクリュードライバーが係合可能な係合溝を備えているため、スペーサーを外壁に穿った貫通孔に挿入後にも容易に全長を可変できる。
【００１９】
（４）の発明においては、全長方向で両端部間の長さが収縮するのを抑制する収縮抑制部を備えるため、締結部材による締結の際やシャッターケースが外壁に取り付けられた後、スペーサーが収縮するのを抑制できる。
【００２０】
（５）の発明においては、第１および第２部材の間の螺合部が相対回転を制限する制限手段をもつため、締結部材による締結の際やシャッターケースが外壁に取り付けられた後、スペーサーが収縮するのを制限することができる。
【００２１】
（６）の発明においては、第１および第２部材の間の螺合部が締結部材の軸部が螺入するときの回転方向とは逆方向に回転するときに全長が短くなるため、正方向に回転するときには全長が短くならない。つまり、締結部材による締結の際はスペーサーが収縮しない。
【００２２】
（７）の発明においては、全長が可変なスペーサーを備えているため、壁ブラケットを外壁に固定する際の締結力が外壁に加わるのを抑制でき、壁ブラケットを介してシャッターケースを外壁に安定して取り付けることができる。
【図面の簡単な説明】
【００２３】
【図１】実施形態１のシャッターケースが外壁に取り付けられている構成を示す一部断面図である。
【図２】実施形態１のシャッターケースの主要部の拡大断面図である。
【図３】実施形態２のシャッターケースの壁ブラケットを外壁表面に固定するのに用いられるスペーサーの斜視図である。
【図４】実施形態２のシャッターケースの主要部の拡大断面図である。
【図５】実施形態３のシャッターケースの主要部の拡大断面図である。
【発明を実施するための形態】
【００２４】
本発明の代表的な実施形態を図１〜図５を参照して説明する。なお、図１〜図５は発明を説明しやすいように図示しており、個別の部材毎の大きさの関係は必ずしも実際のものと同じではなく、縮尺や比率は当該図示に限定されない。
【００２５】
本実施形態に係るシャッターケース１は、図１に示すように、建物の鉄筋製の躯体９１と躯体９１の外側に設けられたコンクリート製の外壁９２とを有する建物の外壁表面９３に取り付けられる。なお、躯体９１および外壁９２の材料は鉄筋、コンクリートに限定されない。また、外壁９２の厚さがｔ、躯体９１と外壁９２との間の隙間がｄである。
【００２６】
（実施形態１）
本実施形態１のシャッターケース１は、図１に示されるように、壁ブラケット１１と一対の横ブラケット１２と正面ケース１３とドリリングネジ（締結部材）２とスペーサー３とを有する。
【００２７】
シャッターケース１は、建物の躯体９１に壁ブラケット１１がドリリングネジ２によって固定されたのち、左右に１つずつ配置される横ブラケット１２が壁ブラケット１１に保持・固定される。この１対の横ブラケット１２の間には、シャッターの巻き取り軸１４や駆動モータ（図示略）などが予め取り付けられている。そして、正面ケース１３が取り付けられる。
【００２８】
壁ブラケット１１は、図２に示すように、後述するドリリングネジ２の頭部２１が当接する締結部１１１に、ドリリングネジ２の軸部２２が貫通する孔１１２が形成されている。外壁９２には、ドリリングネジ２およびスペーサー３が挿入される貫通孔９２１が形成されている。なお、貫通孔９２１の大きさはスペーサー３より大きければよく、スペーサー３がぴったり当接するような精度は必要ない。
【００２９】
ドリリングネジ２は、外壁９２および壁ブラケット１１の締結部１１１よりも外側に位置する頭部２１と、外壁９２に穿った貫通孔９２１に挿入される軸部２２とを備える。軸部２２は、頭部２１の反対に位置し、躯体９１に貫通する先端２２１がドリルの刃になっている。
【００３０】
スペーサー３は、円柱状の部材で第１部材３１および第２部材３２を有し、ドリリングネジ２より先に外壁９２に穿った貫通孔９２１に挿入される。第１部材３１および第２部材３２は、内部に貫通した孔３３が形成されており、孔３３をドリリングネジ２の軸部２２が貫通する。第１部材３１は、壁ブラケット１１に当接する頭部３１１と、頭部から躯体９１側に延設され、頭部３１１の外周径より縮径した外周にネジ溝が形成されたおねじ部３１２とを有する。第２部材３２は躯体９１に当接する頭部３２１と、頭部３２１から壁ブラケット１１側に延設され、頭部３２１の内周径より拡径した内周にネジ溝が形成されためねじ部３２２とを有する。
【００３１】
第１部材３１と第２部材３２とは、第１部材３１のおねじ部３１２が第２部材３２のめねじ部３２２の内周に位置しておねじ部３１２とめねじ部３２２とが螺合し、その内部に孔３３が形成される。スペーサー３は、第１部材３１の頭部３１１と第２部材３２の頭部３２１とが相対移動して、スペーサー３の両端間の長さＬが可変できる。なお、孔３３はドリリングネジ２の軸部２２が当接しないのが望ましいため、ドリリングネジ２の軸部２２の外径よりも内径が大きい。
【００３２】
スペーサー３は、更に、第１部材３１のおねじ部３１２と第２部材３２の頭部３２１との間に、スペーサー３の軸線方向に伸縮するバネ３６が圧縮されて配置されている。第１部材３１と第２部材３２とはスペーサー３を軸線方向で拡張する方向に押圧されているため、スペーサー３は全長Ｌが短縮するのを抑制されている。
【００３３】
次に、壁ブラケット１１を外壁表面９３に取り付ける方法について説明する。まず外壁表面９３から躯体９１までの長さを測定し、スペーサー３の長さＬをその長さに設定する。スペーサー３の長さＬは、外壁９２の厚さｔと、躯体９１および外壁９２の隙間ｄとを足した長さ以上に設定する（Ｌ≧（ｔ＋ｄ））。そして、長さが調節されたスペーサー３を外壁９２の貫通孔９２１に挿入する。次に、壁ブラケット１１の孔１１２を貫通孔９２１に合わせて、壁ブラケットを外壁表面９３に配置する。外壁ブラケット１１の孔１１２からドリリングネジ２の軸部２２を挿入し、軸部２２を更にスペーサー３の孔３３に挿入する。軸部２２の先端２２１が躯体９１に接触したところで、ドリリングネジ２の先端２２１を躯体９１にねじ込み、躯体９１にドリリングネジ２を締結する。これで、壁ブラケット１１が外壁９２に固定され、横ブラケット１２と正面ケース１３を取り付けることでシャッターケース１が外壁９２に取り付けられる。なお、１つのドリリングネジ２に対して１つのスペーサー３を使用するが、大きめのスペーサー３に２つ以上のドリリングネジ２を使用する構成も採用できる。その場合、ドリリングネジ２は近接しているのが望ましい。また、壁ブラケット１１の固定に１個以上のドリリングネジ２とスペーサー３とを使用し、使用する個数にそれぞれ制限数はないが、シャッターケース１を保持するのに必要なドリリングネジ２の個数が望ましい。
【００３４】
本実施形態１のシャッターケース１およびスペーサー３によれば、スペーサー３の全長が可変できるため、外壁９２の厚さｔや躯体９１と外壁９２までの空間の長さｄが締結する場所で異なっていても壁ブラケット１１を固定する締結力が外壁９２に加えられるのを防止できる。よって、外壁表面９３から躯体９１までの長さに影響されずに、シャッターを外壁９２に取り付けることができる。
【００３５】
また、スペーサー３は、軸線方向で拡張する方向にバネ３６によって押圧されているため、全長Ｌが短縮するのが抑制され、調節した長さを保持することができる。よって、ドリリングネジ２による締結の際やシャッターケース１が外壁９２に取り付けられた後でもスペーサー３が短縮しにくく、外壁９２に締結力が加えられるのを防止することができる。
【００３６】
（実施形態２）
本実施形態２のシャッターケースは、基本的な構成は実施形態１のシャッターケース１と同じ構成および作用効果を有する。以下では、異なる構成を中心に説明していく。
【００３７】
本実施形態２のシャッターケースは、図３および図４に示すスペーサー４を有する。スペーサー４の第１部材４１は、頭部４１１の壁ブラケット１１に当接する側に係合溝４４が形成されている。そして、スペーサー４は、第２部材４２の頭部４２１の躯体９１に当接する側に回り止め部４５を有する。それ以外は実施形態１のスペーサー３と同一の構成であるため、説明を省略する。
【００３８】
係合溝４４は、頭部４１１の先端部分（壁ブラケット１１に当接する側）を径方向で等分に分割するように形成されており、マイナスドライバー（スクリュードライバー）と係合することができる。
【００３９】
回り止め部４５は、頭部４２１と躯体９１との間で、頭部４２１の先端部分（躯体９１に当接する側）に位置し、樹脂製でキャップ状をしており、頭部４２１の先端部分にはめられている。
【００４０】
実施形態２のシャッターケースおよびスペーサー４によれば、スペーサー４を外壁９２の貫通孔９２１に挿入後にも、スペーサー４の全長Ｌをマイナスドライバーなどによって可変することができる。その際、第２部材４２と躯体９１との間には摩擦力の高い回り止め部４５が取り付けられているため、第２部材４２が第１部材４１と同時に回転しにくく、スペーサー４の全長Ｌを調節しやすい。
【００４１】
（実施形態３）
本実施形態３のシャッターケースは、基本的な構成は実施形態１のシャッターケース１と同じ構成および作用効果を有する。以下では、異なる構成を中心に説明していく。
【００４２】
本実施形態３のシャッターケースは、図５に示すスペーサー５を有する。スペーサー５は、第１部材５１と第２部材５２とが螺合するおねじ部５１２およびめねじ部５２２の螺合部に樹脂製の制限手段５７を有する。制限手段５７は、リング状をしており、おねじ部５１２のネジ溝（内径側）またはめねじ部５２２のネジ溝（外径側）に取り付けられている。
【００４３】
実施形態３のシャッターケースおよびスペーサー４によれば、スペーサー５の第１部材５１と第２部材５２との螺合部に取り付けられた摩擦力の高い樹脂製の制限手段５７によってスペーサー５の全長Ｌが可変しにくいため、調節した長さを保持することができる。そのため、ドリリングネジ２による締結の際やシャッターケース１が外壁９２に取り付けられた後でもスペーサー５が収縮しにくく、外壁９２に締結力が加えられるのを防止することができる。
【００４４】
（実施形態４）
本実施形態４のシャッターケースは、基本的な構成は実施形態１のシャッターケース１と同じ構成および作用効果を有する。以下では、異なる構成を中心に説明していく。
【００４５】
本実施形態４のシャッターケースは、第１部材と第２部材との螺合が逆ねじのスペーサーを有する。逆ねじで螺合するスペーサーを採用することで、ドリリングネジ２の軸部２２を躯体９１に螺入する際、その回転方向の力がスペーサーに加わってもスペーサーは全長が短縮しない。
【００４６】
（その他の実施形態）
以上、本発明の好適な実施形態について説明したが、本発明は上記実施形態に限定されるものではない。例えば、スペーサーは円柱に限定されず、第１部材のおねじ部と第２部材のめねじ部とが軸線に垂直な断面が円形で螺合できれば、外形および内形の軸線に垂直な断面が矩形や楕円などの形状も採用できる。外壁９２の貫通孔９２１を矩形とし、スペーサーも外形が矩形とし、第１部材と第２部材の平面（角）を揃える位置で全長の長さＬを調節すれば、第１部材と第２部材との螺合の回り止めとなり、全長Ｌが短縮しない効果が期待できる。また、外壁９２の貫通孔９２１に挿入することができれば、軸線に対して垂直方向の大きさも形状も一定である必要はない。
【００４７】
そして、回り止め部４５は、樹脂製に限定されず、またキャップ状も限定されない。躯体９１と接する部分の摩擦力が高いのが望ましく、第２部材４２には接着材によって固定される構成も採用できる。あるいは、回り止め部４５として接着材を採用することもできる。回り止め部４５として接着材を採用し、外壁９２の貫通孔９２１に挿入前に接着材を塗布し、接着材が固着後にマイナスドライバーでスペーサーの全長Ｌを調節したり、締結部材による締結を行ったりする。
【００４８】
その他に、実施形態３のスペーサー５の制限手段５７は、摩擦力の高いリング状の樹脂部材に限定されない。例えば、第１部材５１と第２部材５２との螺合部に、粘着性の高いグリスや接着材を塗布する構成が採用できる。接着材を採用する場合は、外壁９２の貫通孔９２１に挿入する際に、螺合部に塗布してから第１部材５１と第２部材５２とを螺合する。また、スペーサーを軸線方向で短縮しにくくする収縮抑制部および制限手段は、１つのスペーサーに１つに限定されず、複数を用いることができる。
【符号の説明】
【００４９】
１・・・シャッターケース  １１・・・壁ブラケット  １１１・・・締結部
１１２・・・孔  １２・・・横ブラケット  １３・・・正面ケース
１４・・・巻き取り軸
２・・・ドリリングネジ（締結部材）  ２１・・・頭部  ２２・・・軸部
２２１・・・先端
３、４、５・・・スペーサー  ３１、４１、５１・・・第１部材
３１１、４１１、５１１・・・頭部  ３１２、４１２、５１２・・・おねじ部
３２、４２、５２・・・第２部材  ３２１、４２１、５２１・・・頭部
３２２、４２２、５２２・・・めねじ部  ３３、４３、５３・・・孔  ３６・・・バネ
４４・・・係合溝  ４５・・・回り止め部  ５７・・・制限手段
９１・・・躯体  ９２・・・外壁  ９３外壁表面
【図１】
2015117467.tif 000003
【図２】
2015117467.tif 000004
【図３】
2015117467.tif 000005
【図４】
2015117467.tif 000006
【図５】
2015117467.tif 000007